(57)【要約】【課題】自動運転機能への運転者の不安を軽減可能な提示制御装置等の提供を目的とする。【解決手段】ＨＭＩ制御装置４０は、自動運転機能がカーブを認識していることを、提示装置１０を用いたカーブ通知として運転者に情報提示する。ＨＭＩ制御装置４０は、手動運転の状態にて、搭乗中の運転者を識別し、車両Ａの進行方向にあるカーブのカーブ情報を取得し、個々の運転者がカーブの走行に伴って行う運転操作の特性を、カーブ情報及び車両の車速情報に関連付けられた運転特性情報として学習する。そしてＨＭＩ制御装置４０は、自動運転の状態にて、識別された搭乗中の運転者に対応する運転特性情報を選択し、カーブ情報及び車速情報に基づき、カーブ通知のタイミングを選択された運転特性情報を用いて判定する。【選択図】図１
2018181269.tif 000002
【特許請求の範囲】
【請求項１】
運転者に代わって運転操作を行う自動運転機能を搭載する車両（Ａ）にて、提示装置（１０）による前記運転者への情報提示を制御する提示制御装置であって、
前記車両の車速情報を取得する速度情報取得部（５１）と、
前記車両の進行方向にあるカーブの形状を示すカーブ情報を取得するカーブ情報取得部（５２）と、
前記車両に搭乗中の前記運転者を識別する運転者識別部（５３）と、
前記運転者が運転操作を行う手動運転の状態にて、個々の前記運転者がカーブの走行に伴って行う運転操作の特性を、前記カーブ情報及び前記車速情報に関連付けられた運転特性情報として学習する学習部（５４）と、
前記自動運転機能が運転操作を行う自動運転の状態にて、進行方向にあるカーブを前記自動運転機能が認識していることを、前記提示装置を用いたカーブ通知によって前記運転者に提示する提示制御部（５７）と、
前記運転者識別部にて識別された搭乗中の前記運転者に対応する前記運転特性情報を選択する特性選択部（５５）と、
前記自動運転の状態にて、前記カーブ情報及び前記車速情報に基づき、前記特性選択部にて選択された前記運転特性情報を用いて前記カーブ通知のタイミングを判定するタイミング判定部（５６）と、を備える提示制御装置。
【請求項２】
前記学習部は、カーブ手前の制御区間にて、前記運転者がアクセル操作部（２０ａ）をオフ状態にしたときからブレーキ操作部（２０ｂ）をオン状態にするまでの踏替時間（Ｔｃ）を学習し、
前記タイミング判定部は、前記踏替時間が長い前記運転者ほど、前記カーブ通知のタイミングを早くする請求項１に記載の提示制御装置。
【請求項３】
前記学習部は、カーブ手前の制御区間にて、前記車両に作用する減速度の大きさを学習し、
前記タイミング判定部は、前記制御区間にて発生させる減速度が低い前記運転者ほど、前記カーブ通知のタイミングを早くする請求項１に記載の提示制御装置。
【請求項４】
前記運転特性情報を記憶する記憶部（５９）、をさらに備え、
前記学習部は、前記手動運転の状態にて、前記運転者毎に生成した特性モデルを前記記憶部に格納し、
前記特性選択部は、前記自動運転の状態にて、前記記憶部に格納された前記運転者毎の前記特性モデルから、前記運転者識別部にて識別された前記運転者に対応する前記特性モデルを選択する請求項１〜３のいずれか一項に記載の提示制御装置。
【請求項５】
互いに運転特性の異なる前記運転者を想定した複数の特性モデルを記憶している記憶部（５９）、をさらに備え、
前記学習部は、前記手動運転の状態にて、前記記憶部に記憶された複数の前記特性モデルの中から、運転中の前記運転者の運転特性に最も適合する前記特性モデルを選択し、選択した前記特性モデルを運転中の前記運転者に紐付け、
前記特性選択部は、前記自動運転の状態にて、前記運転者識別部にて識別された前記運転者に紐付けられている前記特性モデルを選択する請求項１〜３のいずれか一項に記載の提示制御装置。
【請求項６】
前記自動運転の状態にある前記車両への累積での搭乗時間を、前記運転者毎に記録する累積記録部（５８）、をさらに備え、
前記タイミング判定部は、前記運転者の前記搭乗時間が短いほど、前記カーブ通知のタイミングを早める請求項１〜５のいずれか一項に記載の提示制御装置。
【請求項７】
前記タイミング判定部は、前記搭乗時間に基づき前記自動運転に不慣れと推定される前記運転者への前記カーブ通知のタイミングを、設定可能な範囲のうちで最も早いタイミングに設定する請求項６に記載の提示制御装置。
【請求項８】
前記車両の進行方向の走行環境を認識した認識情報を取得する認識情報取得部（５２ａ）、をさらに備え、
前記タイミング判定部は、前記運転者の不安感を高める要因として予め設定された特定走行環境を示す前記認識情報が前記認識情報取得部にて取得されていた場合に、前記カーブ通知のタイミングを、前記特定走行環境を示す前記認識情報が取得されていない場合と比較して早める請求項１〜７のいずれか一項に記載の提示制御装置。
【請求項９】
前記タイミング判定部は、予め設定された中止条件が成立している場合には、前記カーブ通知を中止する請求項１〜８のいずれか一項に記載の提示制御装置。
【請求項１０】
運転者に代わって運転操作を行う自動運転機能を搭載する車両（Ａ）にて、提示装置（１０）による前記運転者への情報提示を制御する提示制御方法であって、
少なくとも一つの処理部（４１）が、
前記運転者によって運転操作が行われる手動運転の状態において、
前記車両に搭乗中の前記運転者を識別し（Ｓ１０１）、
前記車両の進行方向にあるカーブの形状を示すカーブ情報を取得し（Ｓ１０２）、
個々の前記運転者がカーブの走行に伴って行う運転操作の特性を、前記カーブ情報及び前記車両の車速情報に関連付けられた運転特性情報として学習し（Ｓ１０３，Ｓ３０３）、
前記自動運転機能によって運転操作が行われる自動運転の状態において、
前記車両に搭乗中の前記運転者を識別し（Ｓ１２１）、
前記車両の進行方向にあるカーブの前記カーブ情報を取得し（Ｓ１２３）、
前記車速情報を取得し（Ｓ１２４）、
識別された搭乗中の前記運転者に対応する前記運転特性情報を選択し（Ｓ１２５）、
前記自動運転機能による進行方向のカーブの認識を前記提示装置によって前記運転者に通知するカーブ通知のタイミングを、前記カーブ情報及び前記車速情報に基づき、選択された前記運転特性情報を用いて判定する（Ｓ１２６）、提示制御方法。
【請求項１１】
運転者に代わって車両（Ａ）の運転操作を行う自動運転機能を実現する自動運転制御装置であって、
前記車両の車速情報を取得する速度情報取得部（５１）と、
前記車両の進行方向にあるカーブの形状を示すカーブ情報を取得するカーブ情報取得部（５２）と、
前記車両に搭乗中の前記運転者を識別する運転者識別部（５３）と、
前記運転者が運転操作を行う手動運転の状態にて、個々の前記運転者がカーブの走行に伴って行う運転操作の特性を、前記カーブ情報及び前記車速情報に関連付けられた運転特性情報として学習する学習部（５４）と、
前記自動運転機能が運転操作を行う自動運転の状態にて、進行方向にあるカーブに合わせて前記車両の減速を制御する減速制御部（２７１）と、
前記運転者識別部にて識別された前記運転者に対応する前記運転特性情報を選択する特性選択部（５５）と、
前記自動運転の状態にて、前記カーブ情報及び前記車速情報に基づき、前記特性選択部にて選択された前記運転特性情報を用いて前記減速制御部による減速開始のタイミングを判定するタイミング判定部（２５６）と、を備える自動運転制御装置。
【請求項１２】
前記学習部は、カーブ手前の制御区間にて、前記運転者がアクセル操作部（２０ａ）をオフ状態にしたときからブレーキ操作部（２０ｂ）をオン状態にするまでの踏替時間（Ｔｃ）を学習し、
前記タイミング判定部は、前記踏替時間が長い前記運転者ほど、前記減速開始のタイミングを早くする請求項１１に記載の自動運転制御装置。
【請求項１３】
前記学習部は、カーブ手前の制御区間にて、前記車両に作用する減速度の大きさを学習し、
前記タイミング判定部は、前記制御区間にて発生させる減速度が低い前記運転者ほど、前記減速開始のタイミングを早くする請求項１１に記載の自動運転制御装置。
【請求項１４】
前記運転特性情報を記憶する記憶部（５９）、をさらに備え、
前記学習部は、前記手動運転の状態にて、前記運転者毎に生成した特性モデルを前記記憶部に格納し、
前記特性選択部は、前記手動運転の状態にて、前記記憶部に格納された前記運転者毎の前記特性モデルから、前記運転者識別部にて識別された前記運転者に対応する前記特性モデルを選択する請求項１１〜１３のいずれか一項に記載の自動運転制御装置。
【請求項１５】
互いに運転特性の異なる前記運転者を想定した複数の特性モデルを記憶している記憶部（５９）、をさらに備え、
前記学習部は、前記手動運転の状態にて、前記記憶部に記憶された複数の前記特性モデルの中から、運転中の前記運転者の運転特性に最も適合する前記特性モデルを選択し、選択した前記特性モデルを運転中の前記運転者に紐付け、
前記特性選択部は、前記自動運転の状態にて、前記運転者識別部にて識別された前記運転者に紐付けられている前記特性モデルを、前記運転特性情報として選択する請求項１１〜１３のいずれか一項に記載の自動運転制御装置。
【請求項１６】
前記自動運転の状態にある前記車両への累積での搭乗時間を、前記運転者毎に記録する累積記録部（５８）、をさらに備え、
前記タイミング判定部は、前記運転者の前記搭乗時間が短いほど、減速開始のタイミングを早める請求項１１〜１５のいずれか一項に記載の自動運転制御装置。
【請求項１７】
前記タイミング判定部は、搭乗中の前記運転者が前記搭乗時間に基づき前記自動運転に不慣れと推定される場合に、減速開始のタイミングを、設定可能な範囲のうちで最も早いタイミングに設定する請求項１６に記載の自動運転制御装置。
【請求項１８】
前記車両の進行方向の走行環境を認識した認識情報を取得する認識情報取得部（５２ａ）、をさらに備え、
前記タイミング判定部は、前記運転者の不安感を高める要因として予め設定された特定走行環境を示す前記認識情報が前記認識情報取得部にて取得されていた場合に、前記減速開始のタイミングを、前記特定走行環境を示す前記認識情報が取得されていない場合と比較して早める請求項１１〜１７のいずれか一項に記載の自動運転制御装置。
【請求項１９】
運転者に代わって車両（Ａ）の運転操作を行う自動運転機能を実現する自動運転制御方法であって、
少なくとも一つの処理部（４１，６１）が、
前記運転者によって運転操作が行われる手動運転の状態にて、
前記車両に搭乗中の前記運転者を識別し（Ｓ１０１）、
前記車両の進行方向にあるカーブの形状を示すカーブ情報を取得し（Ｓ１０２）、
個々の前記運転者がカーブの走行に伴って行う運転操作の特性を、前記カーブ情報及び前記車両の車速情報に関連付けられた運転特性情報として学習し（Ｓ１０３，Ｓ３０３）、
前記自動運転機能によって運転操作が行われる自動運転の状態にて、
前記車両に搭乗中の前記運転者を識別し（Ｓ２２１）、
前記車両の進行方向にあるカーブの前記カーブ情報を取得し（Ｓ２２３）、
前記車速情報を取得し（Ｓ２２４）、
識別された搭乗中の前記運転者に対応する前記運転特性情報を選択し（Ｓ２２５）、
前記カーブ情報及び前記車速情報に基づき、選択された前記運転特性情報を用いて、カーブの手前における前記車両の減速開始のタイミングを判定する（Ｓ２２６）、自動運転制御方法。
【発明の詳細な説明】
【技術分野】
【０００１】
この明細書による開示は、自動運転の技術に関する。
【背景技術】
【０００２】
従来、例えば特許文献１には、運転者が運転操作を行う手動運転の状態にて、進行方向にあるカーブの存在を運転者に報知する走行支援制御装置が開示されている。この走行支援制御装置は、進行方向に第１カーブ及び第２カーブが連続するシーンにて、例えば第１カーブの形状に応じて報知のタイミングを調整する。
【先行技術文献】
【特許文献】
【０００３】
【特許文献１】特開２００７‐１９６８０９号公報
【発明の概要】
【発明が解決しようとする課題】
【０００４】
ここで、自動運転機能が運転操作を行う自動運転の状態にて、運転者は、進行方向にあるカーブを自動運転機能が本当に認識しているのか否かについて、不感を感じ易い。こういった不安は、運転者の普段の運転操作と自動運転機能の運転操作との特性の違いに起因すると考えられる。故に、特許文献１の走行支援装置の技術的思想をそのまま自動運転に適用しても、報知のタイミングは、運転者の運転操作の特性に係らず、一定となり得る。そのため、自動運転の状態で進行方向のカーブを報知するように構成したとしても、報知のタイミングには、運転者の運転操作の特性が反映されていないため、運転者の自動運転機能に対する不安は、軽減されない虞があった。
【０００５】
本開示は、自動運転機能への運転者の不安を軽減可能な提示制御技術及び自動運転技術の提供を目的とする。
【課題を解決するための手段】
【０００６】
上記目的を達成するため、開示された一つの態様は、運転者に代わって運転操作を行う自動運転機能を搭載する車両（Ａ）にて、提示装置（１０）による運転者への情報提示を制御する提示制御装置であって、車両の車速情報を取得する速度情報取得部（５１）と、車両の進行方向にあるカーブの形状を示すカーブ情報を取得するカーブ情報取得部（５２）と、車両に搭乗中の運転者を識別する運転者識別部（５３）と、運転者が運転操作を行う手動運転の状態にて、個々の運転者がカーブの走行に伴って行う運転操作の特性を、カーブ情報及び車速情報に関連付けられた運転特性情報として学習する学習部（５４）と、自動運転機能が運転操作を行う自動運転の状態にて、進行方向にあるカーブを自動運転機能が認識していることを、提示装置を用いたカーブ通知によって運転者に提示する提示制御部（５７）と、運転者識別部にて識別された搭乗中の運転者に対応する運転特性情報を選択する特性選択部（５５）と、自動運転の状態にて、カーブ情報及び車速情報に基づき、特性選択部にて選択された運転特性情報を用いてカーブ通知のタイミングを判定するタイミング判定部（５６）と、を備える提示制御装置とされる。
【０００７】
また、開示された一つの態様は、運転者に代わって運転操作を行う自動運転機能を搭載する車両（Ａ）にて、提示装置（１０）による運転者への情報提示を制御する提示制御方法であって、少なくとも一つの処理部（４１）が、運転者によって運転操作が行われる手動運転の状態において、車両に搭乗中の運転者を識別し（Ｓ１０１）、車両の進行方向にあるカーブの形状を示すカーブ情報を取得し（Ｓ１０２）、個々の運転者がカーブの走行に伴って行う運転操作の特性を、カーブ情報及び車両の車速情報に関連付けられた運転特性情報として学習し（Ｓ１０３，Ｓ３０３）、自動運転機能によって運転操作が行われる自動運転の状態において、車両に搭乗中の運転者を識別し（Ｓ１２１）、車両の進行方向にあるカーブのカーブ情報を取得し（Ｓ１２３）、車速情報を取得し（Ｓ１２４）、識別された搭乗中の運転者に対応する運転特性情報を選択し（Ｓ１２５）、自動運転機能による進行方向のカーブの認識を提示装置によって運転者に通知するカーブ通知のタイミングを、カーブ情報及び車速情報に基づき、選択された運転特性情報を用いて判定する（Ｓ１２６）、提示制御方法とされる。
【０００８】
これらの態様における提示装置は、自動運転機能による進行方向のカーブの認識を、カーブ通知として運転者に対し提示する。このカーブ通知のタイミングは、個々の運転者に対応するよう選択された運転特性情報を用いて、カーブ情報及び車速情報から判定される。運転特性情報は、手動運転の状態にて、個々の運転者について学習された情報である。故に、カーブ通知のタイミングは、車両に搭乗している運転者の運転操作の特性を反映したタイミングとなり得る。したがって、自動運転機能への運転者の不安は、軽減可能となる。
【０００９】
さらに、開示された一つの態様は、運転者に代わって車両（Ａ）の運転操作を行う自動運転機能を実現する自動運転制御装置であって、車両の車速情報を取得する速度情報取得部（５１）と、車両の進行方向にあるカーブの形状を示すカーブ情報を取得するカーブ情報取得部（５２）と、車両に搭乗中の運転者を識別する運転者識別部（５３）と、運転者が運転操作を行う手動運転の状態にて、個々の運転者がカーブの走行に伴って行う運転操作の特性を、カーブ情報及び車速情報に関連付けられた運転特性情報として学習する学習部（５４）と、自動運転機能が運転操作を行う自動運転の状態にて、進行方向にあるカーブに合わせて車両の減速を制御する減速制御部（２７１）と、運転者識別部にて識別された運転者に対応する運転特性情報を選択する特性選択部（５５）と、自動運転の状態にて、カーブ情報及び車速情報に基づき、特性選択部にて選択された運転特性情報を用いて減速制御部による減速開始のタイミングを判定するタイミング判定部（２５６）と、を備える自動運転制御装置とされる。
【００１０】
また、開示された一つの態様は、運転者に代わって車両（Ａ）の運転操作を行う自動運転機能を実現する自動運転制御方法であって、少なくとも一つの処理部（４１，６１）が、運転者によって運転操作が行われる手動運転の状態にて、車両に搭乗中の運転者を識別し（Ｓ１０１）、車両の進行方向にあるカーブの形状を示すカーブ情報を取得し（Ｓ１０２）、個々の運転者がカーブの走行に伴って行う運転操作の特性を、カーブ情報及び車両の車速情報に関連付けられた運転特性情報として学習し（Ｓ１０３，Ｓ３０３）、自動運転機能によって運転操作が行われる自動運転の状態にて、車両に搭乗中の運転者を識別し（Ｓ２２１）、車両の進行方向にあるカーブのカーブ情報を取得し（Ｓ２２３）、車速情報を取得し（Ｓ２２４）、識別された搭乗中の運転者に対応する運転特性情報を選択し（Ｓ２２５）、カーブ情報及び車速情報に基づき、選択された運転特性情報を用いて、カーブの手前における車両の減速開始のタイミングを判定する（Ｓ２２６）、自動運転制御方法とされる。
【００１１】
これらの態様における自動運転機能は、進行方向にあるカーブを自動運転機能が認識していることを、減速の開始によって運転者に提示し得る。この減速開始のタイミングは、個々の運転者に対応するよう選択された運転特性情報を用いて、カーブ情報及び車速情報から判定される。運転特性情報は、手動運転の状態にて、個々の運転者について学習された情報である。故に、減速開始のタイミングは、車両に搭乗している運転者の運転操作の特性を反映したタイミングとなり得る。したがって、自動運転機能への運転者の不安は、軽減可能となる。
【００１２】
尚、上記括弧内の参照番号は、後述する実施形態における具体的な構成との対応関係の一例を示すものにすぎず、技術的範囲を何ら制限するものではない。
【図面の簡単な説明】
【００１３】
【図１】ＨＭＩ制御装置を含む車載システムの全体像を示すブロック図である。
【図２】運転者毎の運転操作の特性の違いの一例を比較して示すタイムチャートである。
【図３】アクセル主体の運転者について、車速及び曲率半径と不安タイミングとの関係を示す図である。
【図４】ブレーキ主体の運転者について、車速及び曲率半径と不安タイミングとの関係を示す図である。
【図５】カーブ手前の制御区間にて、カーブの入口と情報提示距離及び情報提示時間等との位置関係を模式的に示す図である。
【図６】特定の特性モデルにおいて、車速及び曲率半径と情報提示距離との関係を示す図である。
【図７】運転特性の学習処理の詳細を示すフローチャートである。
【図８】自動運転への慣れの学習処理の詳細を示すフローチャートである。
【図９】カーブ進入時の情報提示処理の詳細を示すフローチャートである。
【図１０】第二実施形態の車載システムの全体像を示すブロック図である。
【図１１】カーブ突入時の制動制御処理の詳細を示すフローチャートである。
【図１２】第三実施形態の学習処理の詳細を示すフローチャートである。
【発明を実施するための形態】
【００１４】
以下、本開示の複数の実施形態を図面に基づいて説明する。尚、各実施形態において対応する構成要素には同一の符号を付すことにより、重複する説明を省略する場合がある。各実施形態において構成の一部分のみを説明している場合、当該構成の他の部分については、先行して説明した他の実施形態の構成を適用することができる。また、各実施形態の説明において明示している構成の組み合わせばかりではなく、特に組み合わせに支障が生じなければ、明示していなくても複数の実施形態の構成同士を部分的に組み合わせることができる。そして、複数の実施形態及び変形例に記述された構成同士の明示されていない組み合わせも、以下の説明によって開示されているものとする。
【００１５】
（第一実施形態）
本開示の第一実施形態による提示制御装置の機能は、図１に示すＨＭＩ（Human Machine Interface）制御装置４０によって実現されている。ＨＭＩ制御装置４０は、車両制御装置６０等の電子制御ユニットと共に車両Ａに搭載されている。ＨＭＩ制御装置４０及び車両制御装置６０は、直接的又は間接的に互い電気接続されており、相互に通信可能である。ＨＭＩ制御装置４０及び車両制御装置６０は、運転者に代わって運転操作を行う自動運転機能を実現する処理装置であって、協調して車両Ａを自律走行させることができる。
【００１６】
ＨＭＩ制御装置４０は、車両制御装置６０に加えて、提示装置１０、車載センサ群２０、自律走行用のユニット群３０、及びＤＳＭ（Driver Status Monitor）３７等と接続されている。これらの構成により、車両Ａの車載システムが構築されている。
【００１７】
車両制御装置６０は、車両Ａの挙動を制御する電子制御ユニットである。車両制御装置６０は、ＨＭＩ制御装置４０との連携により、車両Ａの自律走行を可能にする。車両制御装置６０は、処理部６１、ＲＡＭ６２、メモリ装置６３、及び入出力インターフェース等を有するコンピュータを主体に構成されている。
【００１８】
処理部６１は、ＣＰＵ（Central Processing Unit）及びＧＰＵ（Graphics Processing Unit）等のプロセッサを少なくとも一つ含んでいる。メモリ装置６３は、フラッシュメモリ及びハードディスク等の不揮発性の記憶媒体を有している。車両制御装置６０は、メモリ装置６３に記憶された車両制御プログラムを処理部６１に実行させることで、車両Ａの加減速制御及び操作制御等を実施する。
【００１９】
車両制御装置６０は、車載アクチュエータ群８０と電気接続されている。車載アクチュエータ群８０は、車両Ａの加速、減速及び操舵を実行する駆動装置群である。車載アクチュエータ群８０には、例えばスロットルアクチュエータ、インジェクタ、ブレーキアクチュエータ、駆動用及び回生用のモータジェネレータ、並びに操舵アクチュエータ等が含まれている。
【００２０】
提示装置１０は、車両Ａに搭乗中の運転者に対し、視覚刺激、聴覚刺激及び触覚刺激等によって情報提示を行う機器である。提示装置１０には、ＣＩＤ（Center Information Display）１１、メータ１２、ＨＵＤ（Head-Up Display）１３、スピーカ１４及び触覚刺激装置１５等が含まれている。ＣＩＤ１１は、センタクラスタの上方に配置された表示器である。メータ１２は、運転席の前方に配置された表示器である、ＨＵＤ１３は、運転席の前景に虚像を重畳表示させる表示器である。スピーカ１４は、音声メッセージ及び報知音等の再生により、運転者に情報を提示する。触覚刺激装置１５は、例えばステアリングホイールのリム部分及び運転席の座面等に設けられている。触覚刺激装置１５は、振動の発生により、運転者に触覚を通じた情報提示を行う。
【００２１】
車載センサ群２０には、アクセルペダルセンサ２１、ブレーキペダルセンサ２２、車速センサ２３、舵角センサ２４、及び勾配センサ２５が含まれている。アクセルペダルセンサ２１は、アクセルペダル２０ａに設けられており、アクセルペダル２０ａへ入力される運転操作（ペダル操作）を検出する。ブレーキペダルセンサ２２は、ブレーキペダル２０ｂに設けられており、ブレーキペダル２０ｂへ入力される運転操作（ペダル操作）を検出する。車速センサ２３は、車両Ａの走行速度を計測する。舵角センサ２４は、ステアリングホイールの操舵角（ステアリング角）を検出する。勾配センサ２５は、車両Ａの姿勢の検出により、車両Ａが走行中の道路の勾配を計測する。各センサ２１〜２５は、検出した車両情報を、ＨＭＩ制御装置４０及び車両制御装置６０へ向けて逐次出力する。
【００２２】
自律走行用のユニット群３０は、自律走行に必要な車外情報を取得する。自律走行用のユニット群３０から提供される車外情報に基づき、ＨＭＩ制御装置４０及び車両制御装置６０の少なくとも一方が、車両Ａの周囲の走行環境を認識し、自車位置の特定及び走行計画の生成等の処理を実行する。自律走行用のユニット群３０には、ミリ波レーダ３１、カメラ３２、Ｖ２Ｘ通信器３３、及びロケータ３４等が含まれている。
【００２３】
ミリ波レーダ３１は、車両Ａの進行方向へ向けてミリ波を照射し、進行方向に存在する移動物体及び静止物体等で反射されたミリ波を受信する外界センサである。カメラ３２は、車両Ａの進行方向を撮影し、進行方向に存在する移動物体及び静止物体等を、前方画像から抽出する外界センサである。ミリ波レーダ３１及びカメラ３２は、他車両及び歩行者等の移動物体並びに区画線及び道路標識等の静止物体を検出し、進行方向の走行環境を認識した認識情報と共に、車外情報としてＨＭＩ制御装置４０及び車両制御装置６０に逐次出力する。
【００２４】
Ｖ２Ｘ通信器３３は、路車間通信及び車車間通信により、交通情報及び他車両から送信された他車情報等を受信する。ロケータ３４は、車両Ａの現在位置を測定する。ロケータ３４は、車両Ａの周囲及び進行方向の道路形状を示す道路マップを取得する。Ｖ２Ｘ通信器３３及びロケータ３４は、取得した車外情報を、ＨＭＩ制御装置４０及び車両制御装置６０へ向けて逐次出力する。
【００２５】
ＤＳＭ３７は、運転者の状態を監視する状態監視装置である。ＤＳＭ３７は、運転者の顔を撮影する顔用カメラ、撮影のための近赤外光を放射する光源部、並びに顔用カメラ及び光源部を制御する制御部等によって構成されている。ＤＳＭ３７は、運転席に着座した搭乗中の運転者の顔画像を、認識情報としてＨＭＩ制御装置４０に逐次出力する。
【００２６】
ＨＭＩ制御装置４０は、提示装置１０を用いた運転者への情報提示を制御する電子制御ユニットである。ＨＭＩ制御装置４０は、処理部４１、ＲＡＭ４２、メモリ装置４３、及び入出力インターフェース等を有するコンピュータを主体に構成されている。処理部４１は、ＣＰＵ及びＧＰＵ等のプロセッサを少なくとも一つ含んでいる。メモリ装置４３は、フラッシュメモリ及びハードディスク等の不揮発性の記憶媒体を有している。メモリ装置４３に記憶された提示制御プログラムを処理部４１が実行することにより、ＨＭＩ制御装置４０には、情報提示を制御するための複数の機能ブロックが構築される。ＨＭＩ制御装置４０には、車両情報取得部５１、環境判定部５２ａ、カーブ認識部５２、運転者識別部５３、タイミング学習部５４、タイミングデータベース５９、モデル選択部５５、タイミング判定部５６、提示制御部５７、及び累積記録部５８等が構築される。
【００２７】
車両情報取得部５１は、車載センサ群２０から出力される車両情報、自律走行用のユニット群３０から出力される車外情報、及びＤＳＭ３７から出力される認識情報を取得する。車両情報取得部５１は、取得した各情報を、他の機能ブロックに提供する。
【００２８】
環境判定部５２ａは、進行方向の走行環境の認識情報を取得する。環境判定部５２ａは、取得ている認識情報の中に、運転者の不安感を高める要因として予め設定された特定走行環境を示す認識情報が有るか否かを判定する。特定走行環境には、雨等によって路面が濡れている環境、道路脇に壁がある環境、道路面積が狭く見通しの悪い環境、運転者の視界を遮るような先行車がいる環境、区画線にかすれがある環境等が含まれている。
【００２９】
カーブ認識部５２は、進行方向の走行環境の認識情報、進行方向の道路マップ、及び走行中の道路の勾配情報等を統合し、車両Ａの進行方向にあるカーブの形状を認識する。カーブ認識部５２は、具体的には、カーブの曲率半径、カーブ区間の長さ及び道路勾配等を、カーブ情報として取得する。
【００３０】
運転者識別部５３は、車両の運転席に着座している運転者を識別する。運転者識別部５３は、ＤＳＭ３７から認識情報として出力される顔画像に基づき、搭乗中の運転者の個人認証を行う。搭乗中の運転者が、以前に車両Ａに搭乗したことがある場合、運転者識別部５３は、過去の履歴情報から搭乗中の運転者を選択する。一方、搭乗中の運転者が車両Ａに初めて搭乗した人物である場合、運転者識別部５３は、搭乗中の運転者に新規の識別番号を付与し、新たな個人として登録する。
【００３１】
タイミング学習部５４は、自動運転機能が停止しており、運転者が運転操作を行う手動運転の状態にて、搭乗中の運転者の運転操作の特性を、運転特性情報として学習する。運転特性情報には、運転者の運転操作を計測した計測結果と、計測結果に基づいて生成又は選定される特定モデルが含まれている。タイミング学習部５４は、個々の運転者がカーブ手前の制御区間にて行う運転操作のうちで、アクセルペダル２０ａからブレーキペダル２０ｂに踏み変える踏替時間Ｔｃの計測結果を学習する（図２参照）。踏替時間Ｔｃは、運転者がアクセルペダル２０ａをオフ状態にしたときから、ブレーキペダル２０ｂをオン状態にするまでの時間である。
【００３２】
ここで、図２に示す踏替時間Ｔｃを計測する意味を説明する。図２〜図４に示すように、運転特性の類型の一種として、運転者は、アクセル主体で減速を行う運転者Ｄａと、ブレーキ主体で減速を行う運転者Ｄｂとに分類可能である。アクセル主体の運転者Ｄａは、カーブの入口Ｘｓ（図５参照）から離れた位置でアクセルペダル２０ａを離し、走行抵抗によって車両Ａを減速させる状態を暫く維持した後、ブレーキペダル２０ｂを踏む。このように、アクセル主体の運転者Ｄａは、カーブ手前での速度調整を、アクセルオフによるエンジンブレーキによって、緩やかに時間をかけて実行する。一方で、ブレーキ主体の運転者Ｄｂは、アクセル主体の運転者Ｄａよりもカーブの入口Ｘｓに近い位置でアクセルペダル２０ａを踏むのを止めて、そのままブレーキペダル２０ｂに踏み替える。このように、ブレーキ主体の運転者Ｄｂは、カーブ手前での速度調整を、ブレーキペダル２０ｂへの操作によって短時間で実行する。
【００３３】
アクセル主体の運転者Ｄａの踏替時間Ｔｃは、ブレーキ主体の運転者Ｄｂの踏替時間Ｔｃよりも長くなる（図２参照）。加えて、アクセル主体の運転者Ｄａは、ブレーキ主体の運転者Ｄｂよりも、カーブの入口Ｘｓから遠い位置で車両Ａの減速を開始させる。故に、自動運転によって同一の走行速度で同一の曲率半径のカーブに進入する場合でも、アクセル主体の運転者Ｄａが不感を感じ始める不安タイミングは、ブレーキ主体の運転者Ｄｂの不安タイミングよりも、カーブの入口Ｘｓから遠い位置となる。こうした傾向が、図３及び図４に示されている。尚、図３及び図４の縦軸の縮尺は、同一である。
【００３４】
また、アクセル主体の運転者Ｄａでも、ブレーキ主体の運転者Ｄｂでも、カーブに進入する速度が同一であれば、カーブの曲率半径が小さくなるほど、運転者は、カーブの入口Ｘｓから遠い位置で、不安を感じ始める。さらに、カーブの曲率半径が同一であれば、カーブに進入する走行速度が高いほど、運転者は、カーブの入口Ｘｓから遠い位置で、不安を感じ始める。
【００３５】
ここまで説明したように、運転者の不安タイミングは、カーブへ進入するときの車速及びカーブ形状と、運転者の運転特性とに基づき、判定され得る。故に、図１のタイミング学習部５４は、運転者毎の踏替時間Ｔｃを基準として、カーブ情報及び車速情報から不安タイミングを算出可能な特性モデルを生成する。特性モデルは、車速情報及びカーブ情報が代入される関数であって、カーブの入口Ｘｓまでの距離Ｘｉ又はカーブの入口Ｘｓまでの時間Ｔｉを、不安タイミングとして出力する（図５参照）。特性モデルは、車速情報及びカーブ情報に関連付けられたモデル式であり、具体的には、以下の式１又は式２である。式１及び式２のいずれを用いた場合であっても、不安タイミングは、同一の位置となる。
（式１）    距離の場合  ：  Ｘｉ［ｍ］  ＝  ｆｘ（Ｒ，ｖ）  ＋  α
（式２）    時間の場合  ：  Ｔｉ［ｓ］  ＝  ｆｔ（Ｒ，ｖ）  ＋  α
Ｒ：カーブの曲率半径，  ｖ：  車速，  α：調整項
【００３６】
タイミングデータベース（以下、「タイミングＤＢ」）５９は、上述の式１又は式２に示す特性モデルを複数記憶している。タイミングＤＢ５９には、タイミング学習部５４によって学習された運転者毎の特性モデル（ＳｕｂＡ，ＳｕｂＢ参照）と、予め設定された標準の特性モデルとが格納されている。運転者毎に学習された特性モデルには、個々の運転者に割り振られた識別番号が紐付けられている。
【００３７】
モデル選択部５５は、タイミングＤＢ５９に格納された運転者毎の特性モデルの中から、運転者識別部５３にて識別された搭乗中の運転者に対応する特性モデルを選択する。搭乗中の運転者に対応する特性モデルがタイミングＤＢ５９に無い場合、又は搭乗中の運転者を運転者識別部５３が識別できない場合、モデル選択部５５は、標準の特性モデルを選択する。
【００３８】
タイミング判定部５６は、自動運転の状態にて、運転者に対し行われるカーブ通知の提示のタイミングを判定する。タイミング判定部５６は、カーブ情報及び車速情報に基づき、特性モデルを用いて、カーブ通知のタイミングを設定する。カーブ通知は、自動運転にて走行を予定している進行方向のカーブの存在を、運転者に知らせる内容の通知である。カーブ通知は、カーブ手間の制御区間にて、少なくとも一回行われる。
【００３９】
ここで、カーブ通知を行う理由を説明する。自動運転機能によって走行中の挙動は、運転者の普段の運転による挙動と異なってくる。こうした挙動の違いにより、特にカーブの手前にて、運転者は、「本当に車両がカーブを認識しているのか」或いは「操舵を制御する準備ができているのか」、といった不安をいっそう感じ易くなる。こうした不安を解消するために、「車両がカーブを認識していること」或いは「車両がカーブに対する制御の準備ができていること」をカーブ通知として運転者に情報提示する必要がある。
【００４０】
こうしたカーブ通知は、運転者が不感を感じる前に実施される必要がある。そのためタイミング判定部５６は、手動運転の状態で運転者が減速を開始するタイミングを基準として、カーブ通知のタイミングを設定する。具体的に、タイミング判定部５６は、カーブの曲率半径Ｒ及び車速ｖを、モデル選択部５５にて選択された特性モデルに代入し、算出される距離Ｘｉ又は時間Ｔｉを基準にカーブ通知のタイミングを設定する。カーブ通知のタイミングは、搭乗中の運転者の不安タイミングと同時、又は不安タイミングよりも僅かに早いタイミングとされる。
【００４１】
タイミング判定部５６は、特定走行環境を示す認識情報が環境判定部５２ａにて取得されていた場合に、特性モデルの調整項αの値の調整により、カーブ通知のタイミングを、特定走行環境を示す認識情報が取得されていない場合と比較して、早める。一例として、タイミング判定部５６は、カメラ３２の画像認識によって観測された路面状況に基づき、雨などの影響で路面の摩擦係数が低い場合には、カーブ通知のタイミングを早める。タイミング判定部５６は、運転者に圧迫感を与えるような道路脇に壁が認識されている場合には、カーブ通知のタイミングを早める。タイミング判定部５６は、運転者から見える進行方向の道路面積に基づき、道路面積が狭くなるほど、即ち、見通しが悪くなるほど、カーブ通知のタイミングを早める。タイミング判定部５６は、運転者の視界を遮るような先行車がいる場合には、カーブ通知のタイミングを早める。タイミング判定部５６は、走行中の車線を区画する区画線にかすれ等があり、鮮明ではない場合には、カーブ通知のタイミングを早める。
【００４２】
タイミング判定部５６は、カーブ通知について、予め設定された中止条件が成立しているか否かを判定する。提示制御部５７は、中止条件が成立している場合には、カーブ通知のタイミングを設定せず、カーブ通知を中止する決定を行う。タイミング判定部５６は、進行方向のカーブの曲率が所定の曲率閾値よりも低い場合、中止条件が成立していると判定する。タイミング判定部５６は、車両Ａの走行速度が所定の速度閾値よりも遅い場合、中止条件が成立していると判定する。
【００４３】
提示制御部５７は、提示装置１０による運転者への情報提示を制御する機能部である。提示制御部５７は、運転者に対する情報提示が必要な場合に、情報提示に用いるデバイスを選択し、選択したデバイスを制御することにより、運転者に対して適切なタイミングで情報を報知する。提示制御部５７は、車両Ａが自動運転の状態において、情報提示の一つとして、上述のカーブ通知を行う。提示制御部５７は、図５に示すように、タイミング判定部５６にて設定されたタイミング、即ち、カーブの入口Ｘｓまで距離Ｘｉ又は時間Ｔｉとなる地点を情報提示位置として、カーブ通知を開始する。
【００４４】
カーブ通知の情報提示位置が不安タイミングを基準に設定される上述の設定により、カーブの入口Ｘｓから情報提示位置までの距離（以下、「情報提示距離」）Ｘｉは、図６に示すように、走行予定のカーブの曲率半径が小さくなるに従って長くなる。加えて、カーブへの進入速度が高くなるほど、情報提示距離Ｘｉは長くなる。
【００４５】
尚、カーブの入口Ｘｓは、自動運転機能によるカーブ走行のための操舵が開始される地点に設定されている。また、地点Ｘｃは、操舵操作が開始されなかった場合に、車線から車両Ａが逸脱するポイントである。図５のカーブの形状は、簡略化された一定の曲率で示されているが、円弧区間と直線区間の間にクロソイド曲線に従った形状のクロソイド区間が設けられていてもよい。こうしたカーブの場合、クロソイド区間と直線区間との接続点が、カーブの入口Ｘｓとなる。
【００４６】
図１に示す累積記録部５８は、運転者の自動運転への慣れの度合いを推定する指標として、自動運転の状態にある車両Ａへの累積での搭乗時間（以下、「累積自動運転時間」）を運転者毎に記録する。累積記録部５８は、運転者識別部５３にて識別された運転者に紐付けられた累積自動運転時間を計測し、当該運転者に対応する特性モデルに累積自動運転時間を紐付けて、タイミングＤＢ５９に保存する。
【００４７】
累積記録部５８は、タイミング学習部５４と連携して、上述の式１及び式２における調整項αの値を設定する。累積記録部５８は、累積自動運転時間を加味し、運転者が自動運転に慣れるほど、特性モデルの調整項αの値を小さく設定する。以上により、自動運転への慣れに起因した運転者の不安度合いの違いが調整される。その結果、カーブ通知は、累積自動運転時間の短い運転者に対しては早期に提示され、累積自動運転時間の短い運転者に対しては、遅いタイミングで提示される。
【００４８】
さらに累積記録部５８は、累積自動運転時間が殆ど無い自動運転に不慣れな運転者を、例えば閾値によって判別する。累積自動運転時間が閾値未満となる運転者へのカーブ通知のタイミングは、設定可能な範囲で最も早いタイミングに設定される。一方で、累積自動運転時間が閾値以上であり、自動運転に慣れた運転者へのカーブ通知のタイミングは、その運転特性に係らず、自動運転に不慣れな運転者への通知タイミングよりも遅い範囲で設定される。
【００４９】
以上のＨＭＩ制御装置４０にて実施される運転特性の学習処理、自動運転への慣れの学習処理、及びカーブ進入時の情報提示処理を、図７〜図９に示すフローチャートに基づき、図１等を参照しつつ、順に説明する。
【００５０】
図７に示す運転特性の学習処理は、例えば車両Ａのイグニッションがオン状態に切り替えられたことに基づき、主にタイミング学習部５４によって開始される。運転特性の学習処理は、車両Ａが手動運転の状態にある期間にて、繰り返し実施される。
【００５１】
Ｓ１０１では、ＤＳＭ３７の認識情報に基づく個人認証を行い、Ｓ１０２に進む。Ｓ１０１では、運転席に着座する搭乗中の運転者を識別する。Ｓ１０２では、車両Ａの進行方向にあるカーブのカーブ情報を取得し、Ｓ１０３に進む。
【００５２】
Ｓ１０３では、車両情報として、アクセルペダルセンサ２１及びブレーキペダルセンサ２２の検出結果を車両情報として取得する。そして、取得した車速情報に基づき、各ペダル２０ａ，２０ｂへのペダル操作のタイミングを検出する。Ｓ１０３では、搭乗中の運転者の踏替時間Ｔｃを学習し、Ｓ１０４に進む。
【００５３】
Ｓ１０４では、Ｓ１０３にて計測された踏替時間Ｔｃに基づき、タイミングＤＢ５９を更新する。具体的に、Ｓ１０４では、Ｓ１０１にて識別された運転者に紐付く特性モデルのｆ（Ｒ，ｖ）及び調整項αを、カーブ情報及び踏替時間Ｔｃに基づき更新する。こうした特性モデルの更新は、運転者の運転特性に起因する調整分として、カーブ通知のタイミングに反映される。
【００５４】
図８に示す自動運転への慣れの学習処理は、例えば車両Ａのイグニッションがオン状態に切り替えられたことにより、主に累積記録部５８によって開始される。
【００５５】
Ｓ１１１では、Ｓ１０１（図７参照）と同様に、ＤＳＭ３７の認識情報に基づく個人認証を行い、運転席に着座する搭乗中の運転者を識別して、Ｓ１１２に進む。Ｓ１１２では、自動運転機能が作動しているか否かを判定する。車両Ａが手動運転の状態であれば、Ｓ１１２の判定を繰り返す。一方、車両Ａが自動運転の状態であれば、Ｓ１１２からＳ１１３に進む。
【００５６】
Ｓ１１３では、搭乗中の運転者について、累積自動運転時間の計測を開始し、Ｓ１１４に進む。Ｓ１１４では、自動運転機能が停止されたか否かを判定する。車両Ａが自動運転の状態であれば、Ｓ１１４の判定を繰り返す。一方、車両Ａが手動運転の状態に切り替えられていれば、Ｓ１１４からＳ１１５に進む。
【００５７】
Ｓ１１５では、Ｓ１１４にて計測を開始した累積自動運転時間を記録し、タイミングＤＢ５９を更新する。具体的に、Ｓ１１５では、累積自動運転時間に基づき、特性モデルの調整項αの値を更新する。こうした特性モデルの更新は、運転者の自動運転への慣れによる変動分として、カーブ通知のタイミングに反映される。
【００５８】
図９に示す情報提示処理は、例えば車両Ａのイグニッションがオン状態に切り替えられ、車両Ａが走行可能な状態になったことにより、主にモデル選択部５５及びタイミング判定部５６によって開始される。情報提示処理は、車両Ａのイグニッションがオフ状態に切り替えられるまで、繰り返し実施される。
【００５９】
Ｓ１２１では、Ｓ１０１（図７参照）及びＳ１１１（図８参照）と同様に、ＤＳＭ３７の認識情報に基づく個人認証を行い、運転席に着座する搭乗中の運転者を識別して、Ｓ１２２に進む。Ｓ１２２では、Ｓ１１２（図８参照）と同様に、自動運転機能が作動しているか否かを判定する。車両Ａが手動運転の状態であれば、Ｓ１２２の判定を繰り返す。一方、車両Ａが自動運転の状態であれば、Ｓ１２２からＳ１２３ａに進む。
【００６０】
Ｓ１２３ａでは、カメラ３２等の外界センサから車両Ａの進行方向の認識情報を取得し、特定走行環境を示す認識情報の有無を判定し、Ｓ１２３に進む。Ｓ１２３では、車両Ａの進行方向にあるカーブのカーブ情報を取得し、Ｓ１２４に進む。Ｓ１２４では、車速情報及び自車の位置情報を取得し、Ｓ１２４ａに進む。
【００６１】
Ｓ１２４ａでは、Ｓ１２３〜Ｓ１２４にて取得した情報に基づき、カーブ通知の中止条件が成立しているか否かを判定する。Ｓ１２４ａにて、中止条件が成立していると判定した場合、Ｓ１２５〜Ｓ１３０をスキップし、情報提示処理を一旦終了する。一方、Ｓ１２４ａにて、中止条件が成立していないと判定した場合、Ｓ１２５に進む。
【００６２】
Ｓ１２５では、Ｓ１２１にて識別された運転者に対応する特性モデルを選択する。Ｓ１２５では、選択した特性モデルをタイミングＤＢ５９から読み出し、Ｓ１２６に進む。Ｓ１２６では、カーブ通知のタイミングを判定し、Ｓ１２７に進む。Ｓ１２６では、Ｓ１２３にて取得のカーブ情報及びＳ１２４にて取得の車速情報に基づき、Ｓ１２５にて読み出した特性モデルを用いて、情報提示距離Ｘｉ又は情報提示時間Ｔｉを演算する。
【００６３】
Ｓ１２６では、Ｓ１２３ａにて特定走行環境を示す認識情報を取得していた場合に、カーブ通知を早める調整を行う。Ｓ１２６の調整により、路面が濡れている場合、道路脇に壁がある場合、見通しの悪い道路環境である場合、先行車がいる場合、区画線にかすれがある場合等で、カーブ通知のタイミングが早められる。
【００６４】
Ｓ１２７では、自車の位置情報を再び取得し、Ｓ１２８に進む。Ｓ１２８では、Ｓ１２７にて取得した位置情報に基づき、カーブ通知を行う情報提示位置に車両Ａが到達したか否かを判定する。Ｓ１２８では、カーブの入口Ｘｓから現在位置までの残余距離と、Ｓ１２７にて演算した情報提示距離Ｘｉとが比較される。残余距離が情報提示距離Ｘｉよりも長い場合、情報提示位置に到達していないとして、Ｓ１２８の判定を繰り返す。一方、残余距離が情報提示距離Ｘｉよりも短くなった場合、情報提示位置に到達したとして、Ｓ１２８からＳ１２９に進む。尚、Ｓ１２８の判定は、情報提示時間Ｔｉを用いて、カーブの入口Ｘｓまでの残余時間を基準に実施されてもよい。
【００６５】
Ｓ１２９では、提示装置１０に含まれるデバイスの中から、情報提示に用いるデバイスを選定し、Ｓ１３０に進む。Ｓ１３０では、Ｓ１２９にて選定したデバイスを用いて、カーブ通知を行い、情報提示処理を一旦終了する。Ｓ１３０の処理に基づき、提示装置１０は、自動運転機能による進行方向のカーブの認識を運転者に対し提示する。一例として、旋回方向を示す湾曲した矢印状の画像がＨＵＤ１３によって虚像表示され、「右カーブを走行します」という音声メッセージがスピーカ１４によって再生される。
【００６６】
ここまで説明した第一実施形態では、提示装置１０によるカーブ通知のタイミングは、個々の運転者に対応するよう選択された運転特性情報（特性モデル）を用いて、カーブ情報及び車速情報から判定される。この運転特性情報は、手動運転の状態にて、個々の運転者について学習された情報である。故に、カーブ通知のタイミングは、車両Ａに搭乗している運転者の運転操作の特性を反映したタイミングとなり得る。したがって、自動運転機能への運転者の不安は、軽減可能となる。
【００６７】
加えて第一実施形態では、踏替時間Ｔｃが長くなるアクセル主体の運転者Ｄａほど、カーブ通知のタイミングは、カーブの入口Ｘｓに対して早く調整される。上述したように、踏替時間Ｔｃが長い運転者Ｄａほど、減速開始のタイミング、ひいては不安タイミングが早くなる。故に、踏替時間Ｔｃが長いほど情報提示距離Ｘｉを長くする調整によれば、カーブ通知のタイミングには、運転者の運転特性が精度良く反映され得る。その結果、自動運転機能に運転者が不安を感じるシーンは、少なくなる。
【００６８】
また第一実施形態のタイミング学習部５４は、運転者毎の特性モデルを生成し、タイミングＤＢ５９に記録する。このように、運転者毎の特性モデルが個別に生成されれば、特性モデルを用いて設定されるカーブ通知のタイミングは、個々の運転者が不安を感じる直前に精度良く調整され得る。
【００６９】
さらに第一実施形態では、運転者毎の累積自動運転時間が計測され、累積自動運転時間の短い運転者ほど、カーブ通知のタイミングが早められる。こうした調整によれば、自動運転に不安を感じ易い運転者に対しても、不安を感じる直前の適切なタイミングでカーブ通知が実施され得る。また、自動運転に慣れた運転者へのカーブ通知が不必要に早いタイミングで実施されてしまう事態も、回避され得る。
【００７０】
加えて第一実施形態では、自動運転に不慣れな運転者へのカーブ通知のタイミングは、自動運転に慣れた運転者に対し設定可能なタイミングの範囲よりも、さらに早い時期に設定される。こうしたタイミングの設定によれば、カーブ通知は、運転者の自動運転への慣れを鑑みて、不安を感じない最適な時期に実施され得る。
【００７１】
また第一実施形態では、運転者の不安感を高める要因が進行方向にある場合、タイミング判定部５６は、カーブ通知のタイミングを早める。このように、カーブ通知のタイミングがカーブの道路状況に応じて適宜調整されれば、自動運転機能への運転者の不安は、いっそう軽減され得る。
【００７２】
さらに第一実施形態では、不安を感じ難いシーン或いは不安を実質的に感じ無いようなシーンでは、中止条件を成立させる処理により、不要なカーブ通知の実施が中止される。以上によれば、不安を感じていない運転者へのカーブ通知の実施が回避できる。よって、運転者は、カーブ通知を煩わしく感じ難くなる。
【００７３】
尚、第一実施形態では、ＨＭＩ制御装置４０が「提示制御装置」に相当し、アクセルペダル２０ａが「アクセル操作部」に相当し、ブレーキペダル２０ｂが「ブレーキ操作部」に相当し、車両情報取得部５１が「速度情報取得部」に相当する。また、カーブ認識部５２が「カーブ情報取得部」に相当し、環境判定部５２ａが「認識情報取得部」に相当し、タイミング学習部５４が「学習部」に相当し、モデル選択部５５が「特性選択部」に相当し、タイミングＤＢ５９が「記憶部」に相当する。
【００７４】
（第二実施形態）
図１０及び図１１に示す本開示の第二実施形態は、第一実施形態の変形例である。カーブ通知のタイミングに運転者の運転操作の特性を反映させる第一実施形態に対し、第二実施形態では、カーブ手前にて減速を開始するタイミングに運転者の運転特性が反映される。車両制御装置６０は、処理部６１による車両制御プログラムの実行により、減速制御部２７１を有する。
【００７５】
減速制御部２７１は、自動運転機能が運転操作を行う自動運転の状態にて、進行方向にあるカーブの形状に合わせて、車両Ａがカーブを安定的に走行できるよう、車両Ａの減速を制御する。減速制御部２７１は、車載アクチュエータ群８０の制御により、車両Ａにマイナス方向の加速度（減速度）を発生させ、走行速度を低減させる。
【００７６】
ＨＭＩ制御装置４０は、処理部４１による提示制御プログラムの実行により、車両情報取得部５１、カーブ認識部５２、運転者識別部５３、タイミング学習部５４、タイミングＤＢ５９、モデル選択部５５、提示制御部５７、及び累積記録部５８を有する。加えてＨＭＩ制御装置４０には、タイミング判定部２５６が構築される。
【００７７】
タイミング判定部２５６は、自動運転の状態にて、カーブ情報及び車速情報に基づき、特性モデルを用いて、減速制御部２７１による減速開始のタイミングを判定する。減速制御部２７１による減速の開始位置は、上述の式１又式２にて演算される不安タイミングを基準に設定される。減速の開始により、自動運転機能によって進行方向のカーブが認識されていることを、運転者は確認できる。タイミング判定部２５６は、カーブの曲率半径Ｒ及び車速ｖを、モデル選択部５５にて選択された特性モデルに代入することで、減速開始のタイミングを設定する。即ち、減速開始のタイミングは、搭乗中の運転者の不安タイミングと同時、又は不安タイミングよりも僅かに早いタイミングとされる。
【００７８】
タイミング判定部２５６は、運転者毎の特性モデルに基づくことにより、搭乗中の運転者の踏替時間Ｔｃ（図２参照）が長いほど、減速開始のタイミングを早く設定する。加えてタイミング判定部２５６は、運転者の累積自動運転時間が短いほど、減速開始のタイミングを早める。さらに、累積自動運転時間が閾値未満であり、運転者が自動運転に不慣れと推定される場合の減速開始のタイミングは、設定可能な範囲のうちで最も早いタイミングに設定される。
【００７９】
タイミング判定部２５６は、特定走行環境を示す認識情報が環境判定部５２ａにて取得されていた場合に、特性モデルの調整項αの値の調整により、減速開始のタイミングを、特定走行環境を示す認識情報が取得されていない場合と比較して、早める。特定走行環境として設定される環境は、第一実施形態と実質的に同一である。
【００８０】
減速制御部２７１は、車両Ａが自動運転の状態である場合に、タイミング判定部２５６にて判定されたタイミングで減速を開始する。具体的に、減速制御部２７１は、カーブの入口Ｘｓまで距離Ｘｉ又は時間Ｔｉとなる地点で、減速を開始する。カーブの入口Ｘｓから減速開始位置までの距離（以下、「減速距離」）Ｘｉ又は時間（以下、「減速時間」）Ｔｉは、走行予定のカーブの曲率半径が小さくなるに従って長くなる。加えて、減速距離Ｘｉ又は減速時間Ｔｉは、カーブへの車両Ａの進入速度が高くなるほど、長くなる。
【００８１】
以上の車両制御装置６０及びＨＭＩ制御装置４０により実施されるカーブ突入時の制動制御処理の詳細を、以下説明する。尚、ＨＭＩ制御装置４０にて実施される運転特性の学習処理（図７参照）及び自動運転への慣れの学習処理（図８参照）は、第一実施形態と実質的に同一である。
【００８２】
制動制御処理は、例えば車両Ａのイグニッションがオン状態に切り替えられ、車両Ａが走行可能な状態になったことによって開始される。制動制御処理は、車両Ａのイグニッションがオフ状態に切り替えられるまで、繰り返し実施される。制動制御処理のＳ２２１〜Ｓ２２５の内容は、第一情報提示処理のＳ１２１〜Ｓ１２５（図９参照）の内容と実質同一である。
【００８３】
Ｓ２２６では、減速開始のタイミングを判定し、Ｓ２２７に進む。Ｓ２２６では、Ｓ２２３にて取得のカーブ情報及びＳ２２４にて取得の車速情報に基づき、Ｓ２２５にて読み出した特性モデルを用いて、減速距離Ｘｉ又は減速時間Ｔｉを演算する。減速開始位置は、減速距離Ｘｉ又は減速時間Ｔｉに基づく位置に設定される。さらにＳ２２６では、カーブ区間における車両Ａの走行速度を設定する。Ｓ２２６では、減速開始位置からカーブの入口Ｘｓ（図５参照）までの区間にて、目標とする減速度の大きさの推移を規定した減速スケジュールを演算する。
【００８４】
Ｓ２２７では、自車の位置情報を再び取得し、Ｓ２２８に進む。Ｓ２２８では、Ｓ２２７にて取得した位置情報に基づき、減速開始位置に到達したか否かを判定する。Ｓ２２８では、カーブの入口Ｘｓから現在位置までの残余距離と、Ｓ２２７にて演算した減速距離Ｘｉとが比較される。残余距離が減速距離Ｘｉよりも長い場合、減速開始位置に到達していないとして、Ｓ２２８の判定を繰り返す。
【００８５】
一方、残余距離が減速距離Ｘｉよりも短くなった場合、減速開始位置に到達したとして、Ｓ２２８からＳ２２９に進む。Ｓ２２９では、減速制御部２７１による制動制御が実施され、制動制御処理を一旦終了する。Ｓ２２９の処理により、車両Ａは、カーブの入口Ｘｓまでの制御区間にて、減速スケジュールに従って減速する。尚、Ｓ２２８の判定は、情報提示時間Ｔｉを用いて、カーブの入口Ｘｓまでの残余時間を基準に実施されてもよい。
【００８６】
ここまで説明した第二実施形態の自動運転機能は、進行方向にあるカーブの認識を、減速の開始によって運転者に提示し得る。そして、減速開始のタイミングは、個々の運転者に対応するよう選択された運転特性情報（特性モデル）を用いて、カーブ情報及び車速情報から判定される。故に、減速開始のタイミングは、車両Ａに搭乗している運転者の運転操作の特性を反映したタイミングとなり得る。したがって、自動運転機能への運転者の不安は、軽減可能となる。
【００８７】
加えて第二実施形態では、踏替時間Ｔｃが長くなるアクセル主体の運転者Ｄａほど、減速開始のタイミングは、カーブの入口Ｘｓに対して早く調整される。上述したように、踏替時間Ｔｃが長い運転者Ｄａほど、手動運転の際の減速開始のタイミングが早くなる。故に、踏替時間Ｔｃが長いほど減速距離Ｘｉを長くする調整によれば、減速開始のタイミングには、運転者の運転特性が精度良く反映され得る。その結果、自動運転機能に運転者が不安を感じるシーンは、少なくなる。
【００８８】
また第二実施形態でも、第一実施形態と同様に、運転者毎の特性モデルが生成される。故に、特性モデルを用いて設定される減速開始タイミングは、個々の運転者が不安を感じる直前に精度良く調整され得る。
【００８９】
さらに第二実施形態では、運転者毎の累積自動運転時間が計測され、累積自動運転時間の短い運転者ほど、減速開始のタイミングが早められる。こうした調整によれば、自動運転に不安を感じ易い運転者に対しても、不安を感じる直前の適切なタイミングで減速が開始され得る。また、自動運転に慣れた運転者が搭乗中に、不自然に早いタイミングで減速が開始されてしまう事態も、回避され得る。
【００９０】
加えて第一実施形態では、自動運転に不慣れな運転者が搭乗している場合の減速開始タイミングは、自動運転に慣れた運転者に対し設定可能なタイミングの範囲よりも、さらに早い時期に設定される。こうしたタイミングの設定によれば、カーブ手前における車両Ａの減速は、運転者の自動運転への慣れを鑑みて、不安を感じない最適な時期に実施可能となる。
【００９１】
また第二実施形態では、運転者の不安感を高める要因が進行方向にある場合、減速開始のタイミングが早められる。このように、減速開始のタイミングがカーブの道路状況に応じて適宜調整されれば、自動運転機能への運転者の不安は、いっそう軽減され得る。尚、第二実施形態では、ＨＭＩ制御装置４０及び車両制御装置６０が「自動運転制御装置」に相当する。
【００９２】
（第三実施形態）
本開示の第三実施形態は、図１に示す第一実施形態の変形例である。第三実施形態では、第一実施形態と同様に、運転者の運転操作の特性がカーブ通知のタイミングに反映される。第三実施形態のタイミングＤＢ５９には、予め生成された複数の特性モデルが記憶されている。各特性モデルは、互いに運転特性の異なる運転者を想定した内容に予め設定されている。以下、図１２に示す第三実施形態の運転特性の学習処理の詳細を、図１を参照しつつ説明する。
【００９３】
学習処理では、ＤＳＭ３７の認識情報に基づく個人認証（Ｓ３０１）と、カーブ情報の取得（Ｓ３０２）とが順に実施される。タイミング学習部５４は、踏替時間Ｔｃ（図２参照）に替えて、カーブ手前の制御区間にて車両Ａに作用する減速度の大きさを学習する（Ｓ３０３）。タイミング学習部５４は、計測結果として、カーブ手前での減速度の最大値を学習してもよく、減速度の平均値又は中央値を学習してもよい。
【００９４】
タイミング学習部５４は、減速度の計測結果に基づき、タイミングＤＢ５９に記憶された複数の特性モデルの中から、運転中の運転者の運転特性に最も適合する特性モデルを選択する。そして、選択した特性モデルを、運転中の運転者に割り当てられた識別番号に紐付ける（Ｓ３０４）。
【００９５】
ここで、制御区間にて発生させる減速度が大きい運転者ほど、減速開始位置は、カーブの入口Ｘｓに接近する。即ち、不安タイミングは、減速度が大きくなるに従って、カーブの入口Ｘｓに近づく傾向となる。故に、タイミング学習部５４は、制御区間にて発生させる減速度が大きい運転者ほど、距離Ｘｉ又は時間Ｔｉが小さい値となる特性モデルを運転者毎の識別番号に紐付ける。一方で、タイミング学習部５４は、制御区間にて発生させる減速度が低い運転者ほど、距離Ｘｉ又は時間Ｔｉが大きい値となる特性モデルを運転者毎の識別番号に紐付ける。
【００９６】
モデル選択部５５は、情報提示処理（図９参照）にて、運転者識別部５３にて識別された運転者に紐付けられている特性モデルを選択する（図９  Ｓ１２５）。タイミング判定部５６は、モデル選択部５５によって選択された特性モデルを用いて、カーブ通知のタイミングを演算する（図９  Ｓ１２６）。その結果、制御区間にて発生させる減速度が低い運転者ほど、カーブ通知のタイミングが早められ、減速度が高い運転者ほどカーブ通知のタイミングが遅くされる。
【００９７】
ここまで説明した第三実施形態のように、複数の特性モデルの中から運転者の運転特性に適合する一つが選択される構成でも、第一実施形態と同様の効果を奏し、カーブ通知は、搭乗中の運転者の運転特性を反映したタイミングで実施され得る。加えて第三実施形態のように、運転者毎の特性モデルが個別に生成されない構成であれば、多数の運転者が共有する車両Ａにおいても、タイミングＤＢ５９の記憶容量は、抑制され得る。
【００９８】
加えて第三実施形態では、カーブ手前での減速度が小さい運転者ほど、カーブ通知のタイミングは、カーブの入口Ｘｓに対して早く調整される。上述したように、減速度が小さい運転者ほど、減速開始のタイミング、ひいては不安タイミングが早くなる。その結果、自動運転機能に対し運転者が不安を感じるシーンは、少なくなる。
【００９９】
（第四実施形態）
本開示の第四実施形態は、図１０に示す第二実施形態の変形例である。第四実施形態では、第二実施形態と同様に、運転者の運転操作の特性がカーブ手前での減速開始のタイミングに反映される。第四実施形態のタイミングＤＢ５９（図１０参照）には、第三実施形態と同様に、予め生成された複数の特性モデルが記憶されている。学習処理（図１２参照）にて、タイミング学習部５４は、計測結果として学習された減速度の大きさに基づき、複数の特性モデルの中から、運転中の運転者の運転特性に最も適合する特性モデルに、当該運転者の識別番号に紐付ける（図１２  Ｓ３０４）。
【０１００】
制動制御処理（図１１参照）にて、モデル選択部５５は、搭乗中の運転者に紐付けられている特性モデルを選択し、タイミングＤＢ５９から読み出す（図１１  Ｓ２２５）。タイミング判定部２５６は、モデル選択部５５によって選択された特性モデルを用いて、減速開始のタイミング及び減速スケジュールを演算する（図１１  Ｓ２２６）。その結果、制御区間にて発生させる減速度が小さい運転者ほど、カーブ通知のタイミングが早められる。一方で、減速度が大きい運転者ほどカーブ通知のタイミングは遅くされる。
【０１０１】
ここまで説明した第四実施形態のように、複数の特性モデルの中から運転者に適合する一つが選択される構成でも、第二実施形態と同様の効果を奏し、カーブ手前での減速は、搭乗中の運転者の運転特性を反映したタイミングで開始される。加えて第四実施形態のように、運転者毎の特性モデルが個別に生成されない構成であれば、多数の運転者が共有する車両Ａであっても、タイミングＤＢ５９の記憶容量は、抑制され得る。
【０１０２】
加えて第四実施形態では、カーブ手前での減速度が小さい運転者ほど、減速開始のタイミングは、カーブの入口Ｘｓに対して早く調整される。上述したように、減速度が小さい運転者ほど、減速開始のタイミングは早くなる。故に、自動運転機能に対し運転者が不安を感じるシーンは、少なくなる。
【０１０３】
（他の実施形態）
以上、本開示の複数の実施形態について説明したが、本開示は、上記実施形態に限定して解釈されるものではなく、本開示の要旨を逸脱しない範囲内において種々の実施形態及び組み合わせに適用することができる。
【０１０４】
上記実施形態では、カーブが運転者に不安を与える要因に着目し、運転者の運転特性を考慮した上で、車両挙動の予告提示又は車両挙動の制御のいずれか一方を行うことで、運転者に安心感が提供されていた。しかし、車両挙動を予告提示するカーブ通知のタイミングと減速開始のタイミングの両方が、運転操作の特性を反映して、調整されてもよい。
【０１０５】
上記実施形態におけるカーブ通知は、例えば累積自動運転時間が所定の時間を超過した運転者に対しては、実施されなくてもよい。また、カーブ通知は、例えば運転者による入力操作に基づいて、実施されないように設定されてもよい。
【０１０６】
上記実施形態では、カーブの走行に伴って行う運転操作として、アクセルペダルからブレーキペダルへの踏替時間Ｔｃ、又はカーブ手前での減速度が計測されていた。しかし、学習される運転操作は、これらの運転操作に限定されない。例えば、タイミング学習部は、カーブ区間における横方向の加速度を、運転特性情報のうちの計測結果として学習し、旋回中の加速度に基づいて特性モデルを生成又は選定してもよい。尚、タイミング学習部は、カーブ区間における加速度の最大値を学習してもよく、或いはカーブ区間における加速度の平均値又は中央値を学習してもよい。
【０１０７】
上記第三，第四実施形態では、予め生成された複数の特性モデルがタイミングＤＢに格納されていた。このように、タイミングＤＢに保存された特性モデルの数は、適宜変更されてもよい。例えば、タイミングＤＢに格納される特性モデルは、「標準」の特性モデルと、アクセル主体の運転者のための特性モデルと、ブレーキ主体の運転者のための特性モデルの三つだけであってもよい。尚、「標準」の特性モデルは、自動運転に不慣れな運転者が搭乗している場合又は運転者を識別できない場合に、モデル選択部によって選択される。「標準」の特性モデルは、複数の特性モデルの中で、情報提示タイミング及び減速開始タイミングを最も早く設定する。
【０１０８】
上記実施形態では、自動運転に不慣れと推定される運転者に対する提示タイミング及び減速開始タイミングは、自動運転に慣れた運転者よりも早い時期に設定されていた。しかし、累積自動運転時間に基づくタイミングの調整は、省略されてもよい。
【０１０９】
上記実施形態では、カーブ情報のうちで、カーブの曲率半径のみを用いて、特性モデルの更新と提示タイミングの演算とが実施されていた。しかし、カーブ情報として取得される他の情報、具体的には、カーブ区間の距離及びカーブの勾配情報等が、特性モデルの値に反映されてよい。
【０１１０】
例えば、道路勾配に応じて不安タイミングは異なってくる。故に、カーブの入口へ向かう区間が下り勾配である場合、提示タイミング及び減速開始タイミングは、早められる。一方で、カーブの入口へ向かう区間が上り勾配である場合、提示タイミング及び減速開始タイミングは、遅く調整される。さらに、勾配の傾斜が大きくなるほど、距離及び時間の調整代も大きくされる。
【０１１１】
このように、勾配の有無及び勾配の大きさに起因する調整は、特性モデルにおける調整項αの値の更新により、実現されてよい。また、カーブ通知の提示タイミング及び減速開始のタイミングは、仮に自動運転機能がカーブを認識できていなかったときに、車線から逸脱する地点Ｘｃへの到達前に運転者によるリカバリーが可能な時間を確保できるよう設定されてよい。こうした調整も、特性モデルにおける調整項αの値の更新により、実現されてよい。
【０１１２】
第一実施形態における中止条件は、適宜変更されてよい。例えば、追従走行の対象となるような先行車がいる場合、タイミング判定部は、中止条件が成立していると判定してもよい。さらに、カーブが二つ以上連続する場合、タイミング判定部は、二つ目以降のカーブ通知のタイミングを、最初のカーブに対して設定するタイミングよりも、遅らせてもよい。
【０１１３】
さらにタイミング判定部は、情報提示に用いる提示装置がいずれの構成であるかを考慮し、情報提示に対する運転者の認知時間を考慮して、カーブ通知のタイミングを調整してもよい。例えば、触覚を通じた情報提示は、運転者に直感的に伝わり得る。故に、想定される認知時間は、短くてよい。対して、スピーカを用いた音声メッセージによる情報提示及びＨＵＤに表示させた文章による情報提示は、内容の解釈に時間を要する。故に、想定される認知時間は、触覚を通じた情報提示よりも、長くなる。以上のように、運転者の認知時間を鑑みて、タイミング判定部は、スピーカ及びＨＵＤ等を情報提示の構成として選定している場合に、触覚刺激装置を選定している場合よりも、カーブ通知のタイミングを早める調整を行う。
【０１１４】
上記実施形態にて、カーブ通知のタイミング及び減速開始のタイミングを規定する基準位置は、カーブの入口Ｘｓであった。しかし、タイミングを規定する基準位置は、適宜変更可能である。例えば基準位置は、カーブに追従せずに直進した車両Ａが車線逸脱する位置（図５  Ｘｃ参照）、又は直進した車両Ａが道路脇と接触する位置等であってもよい。
【０１１５】
上記実施形態の車速情報及びカーブ情報の取得方法は、適宜変更されてよい。また、運転者を識別するための認識情報は、ＤＳＭとは異なる構成から取得してもよい。例えば、運転席のシートポジション等、運転者によって入力された情報に基づき、運転者の識別が実施されてもよい。
【０１１６】
本開示の提示制御方法及び自動運転制御方法を実現する各処理は、車載システムを構成する複数の電子制御ユニットのいずれの処理部によって実施されてもよい。例えば、タイミング学習部、モデル選択部、及びタイミング判定部等は、車両制御装置に構築される機能ブロックであってもよい。
【０１１７】
さらに、提示制御プログラム及び自動運転制御プログラムを記憶するメモリ装置４３，６３（図１参照）には、種々の非遷移的実体的記憶媒体（non- transitory tangible storage medium）が採用可能である。加えて、これらプログラムを記憶する記憶媒体は、ＨＭＩ制御装置及び車両制御装置のメモリ装置に限定されず、当該メモリ装置へのコピー元となる光学ディスク及び汎用コンピュータのハードディスクドライブ等であってもよい。
【符号の説明】
【０１１８】
１０  提示装置、２０ａ  アクセルペダル（アクセル操作部）、２０ｂ  ブレーキペダル（ブレーキ操作部）、４０  ＨＭＩ制御装置（提示制御装置，自動運転制御装置）、４１  処理部、５１  車両情報取得部（速度情報取得部）、５２  カーブ認識部（カーブ情報取得部）、５２ａ  環境判定部（認識情報取得部）、５３  運転者識別部、５４  タイミング学習部（学習部）、５５  モデル選択部（特性選択部）、５６，２５６  タイミング判定部、５７  提示制御部、５８  累積記録部、５９  タイミングデータベース（記憶部）、６０  車両制御装置（自動運転制御装置）、６１  処理部、２７１  減速制御部、Ｔｃ  踏替時間、Ａ  車両
【図１】
2018181269.tif 000003
【図２】
2018181269.tif 000004
【図３】
2018181269.tif 000005
【図４】
2018181269.tif 000006
【図５】
2018181269.tif 000007
【図６】
2018181269.tif 000008
【図７】
2018181269.tif 000009
【図８】
2018181269.tif 000010
【図９】
2018181269.tif 000011
【図１０】
2018181269.tif 000012
【図１１】
2018181269.tif 000013
【図１２】
2018181269.tif 000014